(57)【要約】【課題】搬送された原稿枚数を確認することができ、この後に引き続く印刷処理等の支援を効果的に行うことが可能な原稿読取り装置を提供する。【解決手段】原稿搬送読取り部２で搬送され読取られた原稿の枚数を計数して表示し、更に原稿の読取りに引き続く印刷処理の支援を効果的に行って、使い勝手の向上を図っている。ユーザは、表示された原稿の枚数が原稿セットトレイ１１上の原稿の枚数に一致するか否かを確認し、表示された原稿の枚数が原稿セットトレイ１１上の原稿の枚数に一致すれば、原稿の重送が発生していないと判断し、また表示された原稿の枚数が原稿セットトレイ１１上の原稿の枚数よりも少なければ、原稿の重送が発生したと判断することができ、更に原稿の読取りに引き続く印刷処理の支援を受けて、この印刷処理を速やかにかつ容易に行うことができる。【選択図】図３
2007221246.tif 000002
【特許請求の範囲】
【請求項１】
原稿の読取り開始を入力指示するための読取り指示手段と、
前記読取り指示手段による入力指示に応答して原稿の搬送を開始する原稿搬送手段と、
前記原稿搬送手段により搬送されている原稿を読取る原稿読取り手段と、
前記原稿搬送手段により搬送されて、前記原稿読取り手段により読取られた原稿の枚数を計数する計数手段と、
前記計数手段により計数された原稿の枚数を表示する表示手段と、
前記表示手段により表示された原稿の枚数に対して有効性を入力指示するための判定指示手段とを備えることを特徴とする原稿読取り装置。
【請求項２】
前記判定指示手段は、前記表示手段により表示された原稿の枚数に対する無効性の入力指示が可能であることを特徴とする請求項１に記載の原稿読取り装置。
【請求項３】
前記判定指示手段による原稿の枚数に対する有効性の入力指示は、原稿の印刷開始を示すことを特徴とする請求項１に記載の原稿読取り装置。
【請求項４】
前記原稿読取り手段は、両面原稿の読取りが可能であることを特徴とする請求項１に記載の原稿読取り装置。
【請求項５】
前記表示手段は、複数種の原稿印刷形態毎に、原稿の枚数を表示することを特徴とする請求項１に記載の原稿読取り装置。
【請求項６】
前記複数種の原稿印刷形態は、片面原稿の印刷、両面原稿の印刷、白紙原稿の印刷であることを特徴とする請求項５に記載の原稿読取り装置。
【請求項７】
前記片面原稿の印刷は、原稿表面の印刷又は原稿裏面の印刷であることを特徴とする請求項６に記載の原稿読取り装置。
【請求項８】
請求項１乃至７のいずれかに記載の原稿読取り装置を用いた画像形成装置。
【発明の詳細な説明】
【技術分野】
【０００１】
本発明は、原稿を自動搬送して読取る原稿読取り装置及びそれを用いた画像形成装置に関する。
【背景技術】
【０００２】
この種の画像形成装置としては、複写機、プリンタ、ファクシミリ装置等があり、それらの殆どに原稿を読取る原稿読取り装置が設けられている。この原稿読取り装置には、種々のものがあるが、例えば複数枚の原稿が重ねてセットされると、各原稿を１枚ずつ引き出して搬送しつつ読取って行くというものもある。
【０００３】
ところが、この様に各原稿を自動的に引き出して搬送する装置においては、原稿の搬送速度並びに読取り速度が高速化される傾向にあり、数枚の原稿が重なったまま引き出されて搬送されるという所謂原稿の重送が発生し易く、これが問題視されている。この原稿の重送が発生したときには、下側に重なった原稿が読取られないまま、原稿の読取り処理が終了してしまう。そして、各原稿の読取りに引き続いて、該各原稿の印刷処理が行われた場合は、読取られなかった原稿の印刷が行われないため、この原稿を探し出して、この原稿の読取り及び印刷等を別途行わねばならず、後始末が大変になる。
【０００４】
このため、例えば特許文献１では、利用者により入力された原稿枚数と搬送された原稿枚数とが異なるときに、複写処理を中止するか続行するかを選択することを可能にしている。
【０００５】
また、特許文献２では、予め計数された原稿枚数と搬送された原稿枚数とが不一致の場合に読取りエラーを報知している。
【０００６】
更に、特許文献３では、利用者により入力された原稿枚数と搬送された原稿枚数とが不一致の場合に読取りエラーを報知している。
【０００７】
また、特許文献４では、複写動作を行う前に原稿の読取り枚数を表示している。
【特許文献１】特開昭６０−９３４６１号公報
【特許文献２】特開平０２−１７７７５８号公報
【特許文献３】特開平１１−２７５３０３号公報
【特許文献４】特開平０４−２２９８８０号公報
【発明の開示】
【発明が解決しようとする課題】
【０００８】
しかしながら、特許文献１では、入力された原稿枚数と搬送された原稿枚数とが一致するか否かを表示しているだけであって、搬送された原稿枚数を表示してはいない。このため、利用者は、搬送された原稿枚数を確認することができなかった。
【０００９】
同様に、特許文献２、３でも、計数又は入力された原稿枚数と搬送された原稿枚数とが一致するか否かを表示しているだけであって、搬送された原稿枚数を表示してはいない。
【００１０】
また、特許文献４では、複写動作を行う前に原稿の読取り枚数を表示しているが、この原稿の読取り枚数の表示に引き続く、複写動作の支援を充分に行ってはいなかった。
【００１１】
そこで、本発明は、上記従来の問題点に鑑みてなされたものであり、搬送された原稿枚数を確認することができ、この後に引き続く印刷処理等の支援を効果的に行うことが可能な原稿読取り装置及びそれを用いた画像形成装置を提供することを目的とする。
【課題を解決するための手段】
【００１２】
上記課題を解決するために、本発明の原稿読取り装置は、原稿の読取り開始を入力指示するための読取り指示手段と、前記読取り指示手段による入力指示に応答して原稿の搬送を開始する原稿搬送手段と、前記原稿搬送手段により搬送されている原稿を読取る原稿読取り手段と、前記原稿搬送手段により搬送されて、前記原稿読取り手段により読取られた原稿の枚数を計数する計数手段と、前記計数手段により計数された原稿の枚数を表示する表示手段と、前記表示手段により表示された原稿の枚数に対して有効性を入力指示するための判定指示手段とを備えている。
【００１３】
この様な本発明の原稿読取り装置によれば、原稿搬送手段により搬送されて、原稿読取り手段により読取られた原稿の枚数を計数して表示しているので、搬送され読取られた原稿の枚数を確認することができる。また、表示された原稿の枚数に対して有効性を入力指示することができるので、この有効性の入力指示に応答して原稿の印刷処理等を行うことができ、原稿枚数の確認に引き続く印刷処理等の支援を効果的に行うことが可能である。
【００１４】
また、前記判定指示手段は、前記表示手段により表示された原稿の枚数に対する無効性の入力指示が可能である。この無効性の入力指示に応答して原稿の印刷処理等を行わなければ、印刷処理を無駄に行うことがない。また、この無効性の入力指示に応答して読取った原稿のデータを無効にしても良く、これにより入力操作を簡略化することができる。
【００１５】
更に、前記判定指示手段による原稿の枚数に対する有効性の入力指示は、原稿の印刷開始を示している。これにより、原稿の印刷を直ちに開始することができる。
【００１６】
また、前記原稿読取り手段は、両面原稿の読取りが可能である。
【００１７】
更に、前記表示手段は、複数種の原稿印刷形態毎に、原稿の枚数を表示する。例えば、前記複数種の原稿印刷形態は、片面原稿の印刷、両面原稿の印刷、白紙原稿の印刷である。この場合は、片面原稿の印刷、両面原稿の印刷、白紙原稿の印刷毎に、原稿の枚数を表示することになる。
【００１８】
また、前記片面原稿の印刷は、原稿表面の印刷又は原稿裏面の印刷である。この場合は、原稿表面の印刷又は原稿裏面の印刷別に、原稿の枚数を表示する。
【００１９】
一方、本発明の画像形成装置は、上記本発明の原稿読取り装置を用いている。このため、上記本発明の原稿読取り装置と同様の作用及び効果を達成することができる。
【発明の効果】
【００２０】
この様に本発明によれば、原稿搬送手段により搬送されて、原稿読取り手段により読取られた原稿の枚数を計数して表示しているので、搬送され読取られた原稿の枚数を確認することができる。また、表示された原稿の枚数に対して有効性を入力指示することができるので、この有効性の入力指示に応答して原稿の印刷処理等を行うことができ、原稿枚数の確認に引き続く印刷処理等の支援を効果的に行うことが可能である。
【発明を実施するための最良の形態】
【００２１】
以下、本発明の実施形態を添付図面を参照しつつ詳細に説明する。
【００２２】
図１及び図２は、本発明の原稿読取り装置の一実施形態を適用した画像形成装置を示す斜視図及び側面図である。この画像形成装置1では、原稿の画像を読取って記録用紙に印刷する複写モード、原稿の画像を読取って送信したり、原稿の画像を受信して記録用紙に印刷したりするファクシミリモード、及び情報端末装置からネットワークを通じて受信した画像を記録用紙に印刷するコピーモード等を選択的に行うことができる。この画像形成装置１は、その構成を大別すると、原稿搬送読取部２、画像形成部３、給紙部４、及び排紙処理装置５を備えている。
【００２３】
次に、複写モードを例に挙げて、画像形成装置１の動作を説明する。
【００２４】
まず、原稿を原稿搬送読取り部２の原稿セットトレイ１１にセットしてから、原稿搬送読取り部２の操作パネル１２を操作することにより印刷用紙のサイズ及び変倍率等を入力設定する。そして、操作パネル１２の操作により複写の開始を指示する。
【００２５】
これに応答して原稿搬送読取り部２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して原稿排出トレイ１７へと排出する。
【００２６】
このとき、第１読取り部２１によって原稿の表面（下側面）を読取る。第１読取り部２１の第１走査ユニット２３をポジションＰに移動して位置決めし、第２走査ユニット２４を所定位置に位置決めしておき、第１走査ユニット２３の露光ランプにより原稿の表面をプラテンガラス１６を介して照射し、原稿の反射光を第１及び第２走行ユニット２３、２４の各反射ミラーにより結像レンズ２６へと導き、原稿の反射光を結像レンズ２６によりＣＣＤ２７に集光させ、原稿の表面の画像をＣＣＤ２７上に結像させ、これにより原稿の表面の画像を読取る。
【００２７】
また、第２読取り部２２によって原稿の裏面（上側面）を読取る。第２読取り部２２は、プラテンガラス１６の上方に配置されており、原稿の裏面を照射する露光ランプ（ＬＥＤアレイ、蛍光灯等）、画素毎に、原稿の反射光を集光するセルフォックレンズアレイ、及びセルフォックレンズアレイを通じて受光した原稿の反射光を光電変換して、アナログの画像信号を出力する密着イメージセンサ（CIS；Contact Image Sensor）等を備えている。
【００２８】
更に、原稿搬送読取り部２の上部筐体を開いて、プラテンガラス１６上に原稿を載置し、この状態で第１読取り部２１により原稿の表面を読取ることが可能である。この場合は、第１及び第２走査ユニット２３、２４を相互に所定の速度関係を維持しつつ副走査方向に移動させ、第１走査ユニット２３によってプラテンガラス１６上の原稿を露光し、第１及び第２走査ユニット２３、２４によって原稿からの反射光を結像レンズ２６へと導き、結像レンズ２６によって原稿の画像をＣＣＤ２７上に結像する。
【００２９】
こうして原稿の片面もしくは両面が読取られると、原稿の片面もしくは両面の画像を示す画像データがマイクロコンピュータ等の制御部５１（図３に示す）に入力され、ここで画像データに各種の画像処理が施され、この画像データが画像形成部３へと出力される。
【００３０】
画像形成部３は、画像データによって示される原稿の画像を記録用紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）、及び定着装置３７等を備えている。
【００３１】
また、画像形成部３には、主搬送路３８及び反転搬送路３９が設けられており、給紙部４から給紙されて来た記録用紙が主搬送路３８に沿って搬送される。給紙部４は、用紙カセット４１に収納された記録用紙、または手差トレイ４２に載置された記録用紙を１枚ずつ引き出して、記録用紙を画像形成部３の主搬送路３８へと送り出す。
【００３２】
画像形成部３の主搬送路３８に沿って記録用紙が搬送されている途中で、記録用紙が感光体ドラム３１と転写装置３５との間を通過し、更に定着装置３７を通過して、記録用紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取り部２からの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録用紙に感光体ドラム３１表面のトナー像を転写する。定着装置３７は、記録用紙を加熱及び加圧して、記録用紙上のトナー像を定着させる。
【００３３】
主搬送路３８と反転搬送路３９の接続位置には、分岐爪４３が配設されている。記録用紙の片面だけに印刷が行われる場合は、分岐爪４３が実線で示す位置に位置決めされ、この分岐爪４３により定着装置３７からの記録用紙が排紙トレイ４４又は排紙処理装置５の方へと導かれる。
【００３４】
また、記録用紙の両面に印刷が行われる場合は、分岐爪４３が点線で示す位置に回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置５の方へと導かれる。
【００３５】
こうして印刷された記録用紙は、排紙トレイ４４又は排紙処理装置５の方へと導かれて、排紙トレイ４４に排出されたり、排紙処理装置５の各排紙トレイ５ａのいずれかに排出される。
【００３６】
ところで、この様な画像形成装置では、原稿の搬送速度並びに読取り速度が高速化される傾向にあり、数枚の原稿が重なったまま引き出されて搬送されるという所謂原稿の重送が発生し易い。
【００３７】
そこで、本実施形態の原稿読取り装置では、原稿搬送読取り部２で搬送され読取られた原稿の枚数を計数して表示し、更に原稿の読取りに引き続く印刷処理の支援を効果的に行って、使い勝手の向上を図っている。ユーザは、表示された原稿の枚数が原稿セットトレイ１１上の原稿の枚数に一致するか否かを確認し、表示された原稿の枚数が原稿セットトレイ１１上の原稿の枚数に一致すれば、原稿の重送が発生していないと判断し、また表示された原稿の枚数が原稿セットトレイ１１上の原稿の枚数よりも少なければ、原稿の重送が発生したと判断することができ、更に原稿の読取りに引き続く印刷処理の支援を受けて、この印刷処理を速やかにかつ容易に行うことができる。
【００３８】
図３は、本実施形態の原稿読取り装置の構成を示すブロック図である。本実施形態の原稿読取り装置は、画像形成装置１全体の制御を行なう制御部５１、原稿搬送読取部２、各種の入力指示を行うために操作される操作パネル１２、操作パネル１２に設けられた表示部５２、各種のデータを格納するためのＲＡＭ５３、画像形成装置１を動作させるための制御プログラムやデータテーブルを格納したＲＯＭ５４、カウンター５５、及びハードディスク装置５６等を備えている。
【００３９】
図４は、操作パネル１２を示す平面図である。この操作パネル１２には、表示部５２、複写モード、ファクシミリモード、コピーモード等を設定するためのキー５７、テンキー５８、クリアキー５９、スタートキー６０等を設けている。また、表示部５２に透明なタッチパネル（図示せず）を重ねて設けているので、このタッチパネルを操作して、表示部５２に表示されているキー６１を選択的に操作することも可能である。これらのキーの操作による入力指示は、制御部５１に通知される。また、図４における表示部５２の表示内容は、初期状態のものである。
【００４０】
図５は、本実施形態の原稿読取り装置による処理を示すフローチャートである。このフローチャートを参照しつつ、搬送された原稿の枚数を表示したり、原稿の読取りに引き続く印刷処理を支援するための手順を説明する。
【００４１】
まず、制御部５１は、原稿セットトレイ１１に設けられた原稿センサ（図示せず）の検出出力を監視しており、原稿センサにより原稿セットトレイ１１上の原稿が検出されるのを、つまり原稿セットトレイ１１上に原稿がセットされるのを待機している（ステップＳ１０１で「Ｎｏ」）。そして、制御部５１は、原稿セットトレイ１１上に原稿がセットされると（ステップＳ１０１で「Ｙｅｓ」）、操作パネル１２の入力指示に応じて印刷設定を行う。例えば、先に述べた様に操作パネル１２の操作により入力指示された印刷用紙のサイズ及び変倍率等を設定する。
【００４２】
尚、操作パネル１２の入力指示による印刷設定方法として、様々な方法が提案されているので、それらの方法を適用すれば良い。
【００４３】
こうして印刷設定が行われた後、制御部５１は、操作パネル１２のスタートキー６０が押されるのを待機し（ステップＳ１０２で「Ｎｏ」）、スタートキー６０が押されると（ステップＳ１０２で「Ｙｅｓ」）、原稿搬送読取部２を駆動制御する（ステップＳ１０３）。これにより、先に述べた様に原稿セットトレイ１１上の原稿が１枚ずつ引き出されて、第１及び第２読取り部２１、２２によって原稿の片面もしくは両面が読取られる。
【００４４】
この原稿の読取りに際し、制御部５１は、原稿搬送読取部２の動作を監視し、原稿が搬送されて読取られる度に、カウンター５５による計数値を歩進して、原稿の搬送及び読取り枚数を計数する（ステップＳ１０４）。また、制御部５１は、原稿の片面もしくは両面の画像を示す画像データに基づいて片面原稿及び両面原稿のいずれであるかを判定する。例えば、画像データによって示される一方の面の画像が白紙状態であれば、片面原稿であると判定し、そうでなければ、両面原稿であると判定する。そして、制御部５１は、片面原稿の枚数の計数と両面原稿の枚数の計数とをカウンター５５に区別して行わせ、更に両方の合計枚数の計数もカウンター５５に行わせる。従って、カウンター５５は、片面原稿の枚数、両面原稿の枚数、及び原稿の総枚数を計数することになる。
【００４５】
更に、制御部５１は、片面原稿であれば、片面の画像を示す画像データをハードディスク装置５６に格納し、また両面原稿であれば、両面の画像を示す画像データをハードディスク装置５６に格納する。
【００４６】
そして、制御部５１は、原稿セットトレイ１１の原稿センサにより原稿セットトレイ１１上の原稿が検出されなくなると、つまり原稿セットトレイ１１上の全ての原稿の読取りが終了すると、図６に示す様に操作パネル１２の表示部５２に原稿枚数通知画面６２を表示する（ステップＳ１０５）。
【００４７】
この原稿枚数通知画面６２には、計数された原稿の総枚数を示す行６３、原稿の読取りに引き続く印刷処理を促す旨を示す行６４、キャンセルキー６５、ＯＫキー６６、及び詳細確認キー６７が表示されている。
【００４８】
ユーザは、行６３に表示された原稿の総枚数を見て、読取りがなされた原稿の総枚数を知ることができ、表示された総枚数と自分が原稿セットトレイ１１上にセットした原稿の枚数とを比較して、両者の枚数が一致すれば、原稿の重送が発生していないと判断し、また表示された総枚数が原稿セットトレイ１１上の原稿の枚数よりも少なければ、原稿の重送が発生したと判断することができる。
【００４９】
ここで、行６３に表示された原稿の総枚数が原稿セットトレイ１１上の原稿の枚数よりも少なければ、原稿の重送が発生しているので、ハードディスク装置５６に格納されている全ての原稿の画像データを印刷しても、印刷されない原稿が発生する。そこで、ユーザは、原稿枚数通知画面６２のキャンセルキー６５を押して、原稿の読取りに引き続く印刷処理のキャンセルを入力指示する（ステップＳ１０６で「キャンセル」）。これに応答して制御部５１は、印刷処理を行うことなく、カウンター５５の計数値をクリアし（ステップＳ１０７）、ハードディスク装置５６に格納されている全ての原稿の画像データを無効化し（ステップＳ１０８）、表示部５２の表示を図４の状態に戻す。ハードディスク装置５６内の画像データの無効化方法は、画像データを完全消去するだけではなく、画像データの記憶領域に対するランダムデータの書き込みや画像データの書き込み読み出しを管理する管理データの消去等があり、いずれの方法を用いても構わない。
【００５０】
この様に原稿の重送が発生したときには原稿の複写を速やかに回避することができる。
【００５１】
また、行６３に表示された原稿の総枚数が原稿セットトレイ１１上の原稿の枚数に一致すれば、原稿の重送が発生しておらず、原稿の読取りが正常に終了したとみなすことができる。そこで、ユーザは、原稿枚数通知画面６２のＯＫキー６６を押して、原稿の読取りに引き続く印刷処理の開始を入力指示する（ステップＳ１０６で「印刷」）。これに応答して制御部５１は、ハードディスク装置５６に格納されている全ての原稿の画像データを順次読み出して、画像形成装置１の画像形成部３に逐次与える。画像形成装置１では、先に述べた様に画像データに応じて記録用紙への印刷を行って、記録用紙を排出する（ステップＳ１０９）。
【００５２】
従って、原稿の重送が発生しないときには原稿の複写を速やかに実行することができる。
【００５３】
この後、制御部５１は、カウンター５５の計数値をクリアし（ステップＳ１０７）、ハードディスク装置５６に格納されている全ての原稿の画像データを無効化し（ステップＳ１０８）、表示部５２の表示を図４の状態に戻す。
【００５４】
また、ユーザは、原稿枚数通知画面６２の原稿の総枚数だけではなく、片面原稿の枚数、及び両面原稿の枚数をも知りたいときに、原稿枚数通知画面６２の詳細確認キー６７を押す（ステップＳ１０６で「詳細確認」）。これに応答して制御部５１は、図６の原稿枚数通知画面６２の代わりに、図７に示す様な詳細通知画面７１を操作パネル１２の表示部５２に表示する（ステップＳ１１０）。
【００５５】
この詳細通知画面７１には、計数された原稿の総枚数を示す欄７２、片面原稿の枚数を示す行７３、両面原稿の枚数を示す行７４、キャンセルキー７５、及び印刷実行キー７６が表示されている。
【００５６】
このとき、ユーザは、欄７２に表示された原稿の総枚数と自分が原稿セットトレイ１１上にセットした原稿の枚数とを比較して、原稿の重送が発生したか否かを判定することができるばかりではなく、各行７３、７４を見て、片面原稿の枚数及び両面原稿の枚数を知ることができ、これにより原稿の読取りが正常に終了したか否かをより正確に判断することができる。
【００５７】
ユーザは、詳細通知画面７１を見て、原稿の読取りが正常に終了しなかったと判断したならば、詳細通知画面７１のキャンセルキー７５を押して、印刷処理のキャンセルを入力指示する（ステップＳ１１１で「キャンセル」）。これに応答して制御部５１は、印刷処理を行うことなく、カウンター５５の計数値をクリアし（ステップＳ１０７）、ハードディスク装置５６に格納されている全ての原稿の画像データを無効化し（ステップＳ１０８）、表示部５２の表示を図４の状態に戻す。
【００５８】
従って、詳細通知画面７１が表示されているときでも原稿の複写を速やかに回避することができる。
【００５９】
また、ユーザは、詳細通知画面７１を見て、原稿の読取りが正常に終了したと判断したならば、詳細通知画面７１の印刷実行キー７６を押して、印刷処理の開始を入力指示する（ステップＳ１１１で「印刷」）。これに応答して制御部５１は、ハードディスク装置５６に格納されている全ての原稿の画像データを順次読み出して、画像形成装置１の画像形成部３に逐次与え、画像形成装置１に記録用紙への印刷を行わせる（ステップＳ１０９）。
【００６０】
従って、詳細通知画面７１が表示されているときでも原稿の複写を速やかに実行することができる。
【００６１】
この後、制御部５１は、カウンター５５の計数値をクリアし（ステップＳ１０７）、ハードディスク装置５６に格納されている全ての原稿の画像データを無効化し（ステップＳ１０８）、表示部５２の表示を図４の状態に戻す。
【００６２】
この様に本実施形態の原稿読取り装置では、搬送され読取られた原稿の枚数を計数して表示している。このため、ユーザは、搬送され読取られた原稿枚数を確認することができ、この原稿枚数と自分が原稿セットトレイ１１上にセットした原稿の枚数とを比較して、原稿の重送が発生したか否かを判断することができる。
【００６３】
また、片面原稿の枚数及び両面原稿の枚数を計数して表示しているので、ユーザは、表示された片面原稿の枚数及び両面原稿の枚数を見て、原稿の読取りが正常に終了したか否かをより正確に判断することができる。
【００６４】
更に、１つの画面に、原稿の枚数だけではなく、印刷処理のキャンセルを入力指示するためのキーや印刷処理の開始を入力指示するためのキーを表示しているので、印刷処理の回避や実行を速やかにかつ容易に行うことができる。
【００６５】
尚、本発明は、上記実施形態に限定されるものではなく、多様に変形することができる。例えば、原稿枚数通知画面６２の詳細確認キー６７が押されたときに、図７の詳細通知画面７１ではなく、図８に示す様な詳細通知画面８１を表示しても構わない。この詳細通知画面８１では、図７の詳細通知画面７１における各行７３、７４の代わりに、片面原稿の枚数並びに読取られた原稿面の数を示す行８２、両面原稿の枚数並びに読取られた原稿面の数を示す行８３を表示している。
【００６６】
あるいは、原稿枚数通知画面６２の詳細確認キー６７が押されたときに、図９に示す様な詳細通知画面９１を表示しても構わない。この詳細通知画面９１では、原稿印刷形態毎に、搬送され読取られた原稿の枚数を表示している。すなわち、片面（表）を読取られた原稿の枚数を示す行９２、片面（裏）を読取られた原稿の枚数を示す行９３、両面を読取られた原稿の枚数を示す行９４、及び白紙原稿の枚数を示す行９５を表示している。更に、ページ単位でのスクロール操作が可能なスクロールキー９６を表示している。
【００６７】
片面（表）を読取られた原稿とは、例えばオモテ表紙となる原稿であって、第１読取り部２１によって画像を読取られた原稿である。また、片面（裏）を読取られた原稿とは、例えばウラ表紙となる原稿であって、第２読取り部２２によって画像を読取られた原稿である。白紙原稿は、画像データにより白紙状態が示されているときに検出され、第１及び第２読取り部２１、２２のいずれによっても白紙状態が読取られた原稿である。
【００６８】
更に、図６の原稿枚数通知画面６２を省略し、図７乃至図９のいずれかに示す詳細通知画面を直ちに表示する様にしても構わない。
【図面の簡単な説明】
【００６９】
【図１】本発明の原稿読取り装置の一実施形態を適用した画像形成装置を示す斜視図である。
【図２】図１の画像形成装置を示す側面図である。
【図３】本実施形態の原稿読取り装置の構成を示すブロック図である。
【図４】図３の原稿読取り装置における操作パネルを示す平面図である。
【図５】図３の原稿読取り装置による処理を示すフローチャートである。
【図６】図３の原稿読取り装置における原稿枚数通知画面を示す平面図である。
【図７】図３の原稿読取り装置における詳細通知画面の一例を示す平面図である。
【図８】図３の原稿読取り装置における詳細通知画面の他の例を示す平面図である。
【図９】図３の原稿読取り装置における詳細通知画面の別の例を示す平面図である。
【符号の説明】
【００７０】
１  画像形成装置
２  原稿搬送読取部
３  画像形成部
４  給紙部
５  排紙処理装置
１１  原稿セットトレイ
１２  操作パネル
１３  ピックアップローラ
１４  サバキ板
１５  搬送ローラ
１６  プラテンガラス
１７  原稿排出トレイ
２１  第１読取り部
２２  第２読取り部
２３  第１走査ユニット
２４  第２走査ユニット
２６  結像レンズ
２７  ＣＣＤ
５１  制御部
５２  表示部
５３  ＲＡＭ
５４  ＲＯＭ
５５  カウンター
５６  ハードディスク装置
【図１】
2007221246.tif 000003
【図２】
2007221246.tif 000004
【図３】
2007221246.tif 000005
【図４】
2007221246.tif 000006
【図５】
2007221246.tif 000007
【図６】
2007221246.tif 000008
【図７】
2007221246.tif 000009
【図８】
2007221246.tif 000010
【図９】
2007221246.tif 000011